(57)【要約】【課題】上方から水やゴミが入り込むことを防ぎ、なおかつ上部のカバーを開く際の操作性が良好であるカバー開閉機構及びそれを備えた記録装置を提供する。【解決手段】レシートプリンタ１００は、上部カバー１３と、上部カバー１３を装置本体１１に対して閉状態に係止する係止部２１と、を備えたカバー開閉機構１０を備え、カバー開閉機構１０は、上部カバー１３の左右それぞれに、装置本体１１の左右の側面２２に対して中央寄りに凹んだ位置に形成された凹側部２３と、凹側部２３より左右に突出した把持部２４と、を有し、左右の把持部２４の下面側に、上方への変位により係止部２１の係止を解除する解除レバー２５がそれぞれ設けられている。【選択図】図２
2008229983.tif 000002
【特許請求の範囲】
【請求項１】
記録装置本体の上部に設けられ上下に開閉するカバーと、
前記カバーを前記記録装置本体に対して閉状態に係止する係止部と、を備えたカバー開閉機構であって、
前記カバーは、左右それぞれに、前記記録装置本体の左右の側面に対して中央寄りに凹んだ位置に形成された凹側部と、前記凹側部より左右に突出した把持部と、を有し、
左右の前記把持部の下面側に、上方への変位により前記係止部の係止を解除する解除操作部がそれぞれ設けられていることを特徴とするカバー開閉機構。
【請求項２】
請求項１に記載のカバー開閉機構であって、
前記凹側部は、前記記録装置本体の左右の側面に対して中央寄りに１５ｍｍ以上凹んだ位置に設けられていることを特徴とするカバー開閉機構。
【請求項３】
請求項１または２に記載のカバー開閉機構であって、
前記解除操作部は、前記係止部の係止を解除する上方変位位置で、前記把持部の内側に当接することを特徴とするカバー開閉機構。
【請求項４】
請求項１から３の何れか一項に記載のカバー開閉機構であって、
前記カバーは、前記記録装置本体に対して装置後方側で回動可能に軸支され、
前記把持部は、前記カバーにおける装置前方側に配置されていることを特徴とするカバー開閉機構。
【請求項５】
請求項１から４の何れか一項に記載のカバー開閉機構を備え、
前記カバーは、前記記録装置本体の記録媒体収容部を覆うカバーであることを特徴とする記録装置。
【発明の詳細な説明】
【技術分野】
【０００１】
本発明は、記録装置本体の上部に設けられたカバーを上下に開閉する構造の記録装置におけるカバー開閉機構及びそれを備えた記録装置に関する。
【背景技術】
【０００２】
ロール紙を記録媒体に用いる記録装置の一つに例えばレシートプリンタがある（例えば、特許文献１参照）。レシートプリンタでは、用紙排出部におけるプラテンローラとサーマルヘッドとでロール紙を表裏から挟んで所定長を繰り出す。繰り出された用紙は、本体開口に設けられたカッターにてマニュアル、或いは自動にてカットされる。
【０００３】
レシートプリンタは、ロール紙の投入が簡単であることが商品価値を高める。記録装置本体には上部のカバーが開閉自在に設けられ、カバーを開放することにより、ロール紙収容部が開放される。ロール紙の投入は、このカバーの開閉のみにより行えることが望ましい。これに対し、ロール紙は、プラテンローラとサーマルヘッドとで挟んで繰り出されるため、投入方式（ドロップイン方式）とした場合、用紙排出部におけるプラテンローラとサーマルヘッドとは分離されることとなる。すなわち、サーマルヘッドが記録装置本体に設けられ、プラテンローラがカバーに設けられる。
【０００４】
また、このような記録装置の上部のカバーは、通常使用時は装置本体に対して係止されているが、その係止状態を装置上面に設けられたボタンやレバーの操作によって解除し、カバーを開くように構成されているものが知られている（例えば、非特許文献１参照）。
【０００５】
【特許文献１】特開２００６−１６７９４２
【非特許文献１】ＧＲＡＮＤＩ製品紹介ホームページ（http://www.grandi.cn/inc/pos58g.asp）
【発明の開示】
【発明が解決しようとする課題】
【０００６】
上記のように、上部のカバーの係止を解除するための解除操作部（ボタンやレバー）が記録装置における上面に設けられていると、解除操作部とその周囲の隙間から水やゴミが装置本体に入ってしまうことがある。
また、記録装置の設置場所によっては、解除操作部やカバー開閉の操作が右手あるいは左手に限定されてしまうなどにより操作性が良くないことがあった。例えば、記録装置の側面が壁面に沿って設置されていると、カバー開閉の操作を行ないにくい場合があった。
【０００７】
そこで、本発明の目的は、上方から水やゴミが入り込むことを防ぎ、なおかつ上部のカバーを開く際の操作性が良好であるカバー開閉機構及びそれを備えた記録装置を提供することにある。
【課題を解決するための手段】
【０００８】
上記課題を解決することのできる本発明に係るカバー開閉機構は、記録装置本体の上部に設けられ上下に開閉するカバーと、前記カバーを前記記録装置本体に対して閉状態に係止する係止部と、を備えたカバー開閉機構であって、前記カバーは、左右それぞれに、前記記録装置本体の左右の側面に対して中央寄りに凹んだ位置に形成された凹側部と、前記凹側部より左右に突出した把持部と、を有し、左右の前記把持部の下面側に、上方への変位により前記係止部の係止を解除する解除操作部がそれぞれ設けられていることを特徴とする。
【０００９】
このようなカバー開閉機構では、記録装置本体の上部に設けられたカバーは、係止部により記録装置本体に係止されて閉状態とされるものであり、このカバーを開く時には、把持部の下面側に設けられた解除操作部を上方に変位させて、係止部の係止を解除する操作を行なう。その際、カバーには左右に凹んだ凹側部が形成されているため、その凹側部により設けられたスペースから把持部の下面側に手指を挿し入れて解除操作部を操作することが容易である。また、把持部の上下を手指で挟むように摘むことで、把持部の上面を押さえながら解除操作部を上方に変位させる操作が容易であり、解除操作を確実に行うことができる。そして、解除操作部を上方に変位させる操作に続いて、把持部と解除操作部を摘んだままさらに手指をそのまま持ち上げるようにすれば、カバーを上方に持ち上げて開くことができる。つまり、係止部の解除操作とカバーを持ち上げる操作を、一連の動作で行なうことができる。
【００１０】
また、把持部、解除操作部、及び凹側部は、それぞれ左右に設けられているため、記録装置の設置場所やユーザの利き手を問わず、例えば記録装置の側面が壁面に接している場合などでも、カバーを開く操作を確実に行なうことができる。
さらに、解除操作部の位置は、記録装置の上面ではなく、左右に突出した把持部の下面側であるため、上方から水やゴミが入り込むことを防ぐことができる。
【００１１】
本発明に係るカバー開閉機構において、前記凹側部は、前記記録装置本体の左右の側面に対して中央寄りに１５ｍｍ以上凹んだ位置に設けられていることが好ましい。
このようなカバー開閉機構によれば、記録装置の側面が壁面に接していても、凹側部によって形成されるスペースに手指を挿し入れることが容易であり、カバーを開く操作を確実に行なうことができる。
【００１２】
本発明に係るカバー開閉機構において、前記解除操作部は、前記係止部の係止を解除する上方変位位置で、前記把持部の内側に当接することが好ましい。
このようなカバー開閉機構によれば、解除操作部を上方に変位させた時に把持部の内側に当接するため、カバーを持ち上げるときに把持部と解除操作部が一体的に安定した状態となり、カバーを開く操作を安定して行なうことができる。
【００１３】
本発明に係るカバー開閉機構において、前記カバーは、前記記録装置本体に対して装置後方側で回動可能に軸支され、前記把持部は、前記カバーにおける装置前方側に配置されていることが好ましい。
このようなカバー開閉機構によれば、カバーの前方側が上方に持ち上がって開く構成であり、カバーの前方側で把持部が凹側部に対して左右に突出した形状を視覚的に目立たせ、解除操作部が把持部の下面側にあっても、操作する箇所を明確に示すことができる。
【００１４】
また、本発明に係る記録装置は、本発明に係るカバー開閉機構を備え、前記カバーは、前記記録装置本体の記録媒体収容部を覆うカバーであることを特徴とする。
このような記録装置によれば、上記のカバー開閉機構を備えており、カバーを開く際の操作性が良好であるため、記録媒体収容部に対する記録媒体の充填を容易かつ確実に行なうことができる。また、記録装置の上方から水やゴミが入り込むことも防がれる。
【発明を実施するための最良の形態】
【００１５】
以下、本発明に係るカバー開閉機構及びそれを備えた記録装置の実施形態の例について、図面を参照して説明する。
なお、本実施形態では、本発明をレシートプリンタに適用した場合を例示して説明する。
【００１６】
図１は本発明の一実施形態に係るカバー開閉機構を備えたレシートプリンタの斜視図、図２は図１に示したレシートプリンタの一部分を透視した斜視図である。また、図３は図１に示したレシートプリンタの側面図であり、図４は図３の一部分を透視した側面図である。
図１及び図２に示すように、レシートプリンタ（記録装置）１００は、装置本体（記録装置本体）１１と、この装置本体１１に回転軸１５を中心に開閉自在に設けられた上部カバー１３とを備えている。上部カバー１３の開動先端と装置本体１１との間には用紙出口（用紙排出部）１６が形成され、用紙出口１６は上部カバー１３が開かれることで開放される。
【００１７】
装置本体１１の内部には、上部カバー１３を開いた位置に、ロール紙が投入されるロール紙収容部（記録媒体収容部）１１ａ（図４参照）が形成されている。すなわち、上部カバー１３は、ロール紙収容部１１ａを覆うカバーである。ロール紙収容部１１ａに収容されたロール紙は、繰出し端が用紙出口１６に置かれた状態で、上部カバー１３が閉止されることにより、装置本体１１側に設けられたサーマルヘッド（図示省略）と上部カバー１３側に設けられたプラテンローラ２８（図２参照）とによって挟まれるようになっている。用紙出口１６にはカッター１９が配置され、カッター１９は装置本体１１のフレームに固定されている。
【００１８】
本実施形態のレシートプリンタ１００は、上部カバー１３と、上部カバー１３を装置本体１１に対して閉状態に係止する係止部２１と、を備えたカバー開閉機構１０を備えている。
上部カバー１３の左右には、その前後方向の略全域に亘って、装置本体１１の左右の側面２２に対して左右方向の中央寄りに凹んだ位置に形成された凹側部２３を有する。なお、側面２２に対して中央寄りに凹んだ位置とは、装置本体１１の左右の側面２２が垂直方向に対して傾斜している場合には、装置本体１１の左右の最大設置幅に対して、中央寄りであればよい。また、装置本体１１の左右にも、凹側部２３の前方側の一部に、凹側部２３と同一面上に形成された凹部２２ａが設けられている。
【００１９】
また、上部カバー１３の前端位置には、用紙出口１６近傍の左右に、それぞれ凹側部２３より左右に突出した鍔状の把持部２４が設けられている。上部カバー１３の閉状態において、把持部２４の前端は装置本体１１に載置される。また、把持部２４の左右の端面は、装置本体１１の左右の側面２２と同一面上に形成されている。また、把持部２４の下側は凹部２２ａにより側面２２より凹んだ空間が形成されている。すなわち、把持部２４の後方と下方が、凹側部２３及び凹部２２ａにより装置本体１１の左右の幅より狭く形成されており、視覚的に把持部２４を目立たせている。また、凹側部２３及び凹部２２ａにより設けられたスペースから把持部２４の下面側に手指を挿し入れて把持部２４を上方に持ち上げるようにすれば、上部カバー１３を上方に持ち上げて開くことができる。
【００２０】
また、本実施形態では、凹側部２３及び凹部２２ａは装置本体１１の左右の側面２２（装置本体１１の左右の最大設置幅）に対して中央寄りに１５ｍｍ以上凹んだ位置とされており、レシートプリンタ１００の側面が壁面に沿って設置されていても、凹側部２３及び凹部２２ａにより設けられたスペースから把持部２４の下面側に手指を挿し入れることが容易である。
【００２１】
図２及び図４に示すように、上部カバー１３は、その内部にカバーフレーム２７を備えており、カバーフレーム２７の左右後端部が前記回転軸１５を介して回動自在に支持されている。カバーフレーム２７の前端部には、左右方向の内側に前記プラテンローラ２８が回転自在に軸支されており、左右方向の外側にプラテンローラ２８の回転軸と同軸状に可動フレーム２６が軸支されている。
【００２２】
可動フレーム２６は、カバーフレーム２７の左右方向全長に亘って形成され、カバーフレーム２７に対して軸支されることにより上下に揺動可能である。そして、その揺動する動作によって装置本体１１に対する上部カバー１３の係止とその解除が行なわれるようになっている。なお、可動フレーム２６は引っ張りコイルばね（図示省略）によってもカバーフレーム２７に連結されており、その引っ張りコイルばねの張力により装置本体１１側（下方）へ付勢されている。
【００２３】
可動フレーム２６における左右には、それぞれ、軸支された箇所の下方位置に、装置本体１１に設けられた係止ピン３２に係合可能な係止爪３３が形成されている。この係止爪３３は、可動フレーム２６の下方への回動変位（時計回り）により先端が前方へ移動し、可動フレーム２６の揺動下限位置では係止ピン３２の下側に係止される。すなわち、上部カバー１３を閉じた状態では、可動フレーム２６が揺動下限位置まで変位し、係止ピン３２と係止爪３３からなる係止部２１によって、上部カバー１３が装置本体１１に対して閉状態に係止される。
【００２４】
また、可動フレーム２６における左右の後端には、係止部２１の係止を解除する解除レバー（解除操作部）２５がそれぞれ設けられている。解除レバー２５は、上部カバー１３が閉じて係止部２１が係止状態にあるときは、図３及び図４に示すように、把持部２４の下面側に突出した状態となる。そのとき、解除レバー２５の操作面である下面２５ａは、略水平面である。解除レバー２５の下面２５ａを上に押し上げると、可動フレーム２６が前記引っ張りコイルばねの付勢力に対向して上方へ回動変位（反時計回り）し、係止部２１の係止爪３３が係止ピン３２から離れて、係止部２１の係止状態が解除される（図６参照）。
【００２５】
また、可動フレーム２６における係止爪３３と解除レバー２５との間の位置には、カバーフレーム２７に設けられた当接ピン３０が内側に配置される凹部３１が形成されている。図４に示すように、上部カバー１３が閉じて係止部２１が係止状態にあるときは、凹部３１の上部に当接ピン３０が当接した状態となり、係止部２１とともに可動フレーム２６の位置決めを行なっている。なお、上部カバー１３を開けた状態では、係止部２１の係止爪３３は上部カバー１３から離れるため係止ピン３２に当接しないが、凹部３１の上部に当接ピン３０が当接することで、前記引っ張りコイルばねによる可動フレーム２６の時計回り方向への回動を止めることになる。
【００２６】
また、図５及び図６に示すように、解除レバー２５を操作して上方に変位させた状態では、凹部３１の下部に当接ピン３０が当接した状態となり、解除レバー２５を上方に持ち上げる力を、当接ピン３０を介してカバーフレーム２７に伝える。さらにその際、解除レバー２５の上部は上部カバー１３の内側に当接し、解除レバー２５を上方に持ち上げる力が、直接上部カバー１３にも伝わる。
【００２７】
このように、本実施形態のカバー開閉機構１０は、上部カバー１３の左右それぞれに、装置本体１１の左右の側面２２に対して中央寄りに凹んだ位置に形成された凹側部２３と、凹側部２３より左右に突出した把持部２４と、を有し、左右の把持部２４の下面側に、上方への変位により係止部２１の係止を解除する解除レバー２５がそれぞれ設けられている。
【００２８】
このようなカバー開閉機構１０では、装置本体１１の上部に設けられた上部カバー１３は、係止部２１により装置本体１１に係止されて閉状態とされるものであり、この上部カバー１３を開く時には、把持部２４の下面側に設けられた解除レバー２５を上方に変位させて、係止部２１の係止を解除する操作を行なう。その際、上部カバー１３には左右に凹んだ凹側部２３が形成されるとともに、装置本体１１の左右にも凹部２２ａが形成されているため、その凹側部２３及び凹部２２ａにより設けられたスペースから把持部２４の下面側に手指を挿し入れて解除レバー２５を操作することが容易である。さらに、解除レバー２５は把持部２４の下側の隠れた位置にあるため、上方からはユーザに解除レバー２５の存在を意識させず、把持部２４を持ち上げようとする意識だけで、上部カバー１３の開く操作を行うことができる。
【００２９】
また、把持部２４の上下を手指で挟むように摘むことで、把持部２４の上面を押さえながら解除レバー２５を上方に変位させる操作が容易であり、解除操作を確実に行うことができる。そして、解除レバー２５を上方に変位させる操作に続いて、把持部２４と解除レバー２５を摘んだままさらに手指をそのまま持ち上げるようにすれば、上部カバー１３を上方に持ち上げて開くことができる。つまり、係止部２１の解除操作と上部カバー１３を持ち上げる操作を、一連の動作で行なうことができる。
【００３０】
また、把持部２４、解除レバー２５、及び凹側部２３及び凹部２２ａは、それぞれ左右に設けられているため、レシートプリンタ１００の設置場所を問わず、例えばレシートプリンタ１００の側面が壁面に接している場合などでも、上部カバー１３を開く操作を確実に行なうことができる。また、ユーザの利き手を選ばず、上部カバー１３を開く操作を行なうことができる。
さらに、解除レバー２５の位置は、レシートプリンタ１００の上面ではなく、左右に突出した把持部２４の下面側であるため、上方から解除レバー２５の周辺を介して水やゴミが入り込むことを防ぐことができる。
【００３１】
また、凹側部２３及び凹部２２ａは、レシートプリンタ１００の左右の側面２３に対して中央寄りに１５ｍｍ以上凹んだ位置にあるため、レシートプリンタ１００の側面２３が壁面に接していても、凹側部２３及び凹部２２ａによって形成されるスペースに手指を挿し入れることが容易であり、上部カバー１３を開く操作を確実に行なうことができる。
【００３２】
また、解除レバー２５を操作する際、係止部２１の係止を解除する上方変位位置まで解除レバー２５を持ち上げると、解除レバー２５の上部が把持部２４の内側に当接する構成であるため、上部カバー１３を持ち上げるときに把持部２４と解除レバー２５が一体的に安定した状態となり、上部カバー１３を開く操作を安定して行なうことができる。
【００３３】
また、上部カバー１３は、装置本体１１に対して装置後方側で回転軸１５を中心に回動可能に軸支され、把持部２４は、上部カバー１３における装置前方側に配置されているため、上部カバー１３の前方側が上方に持ち上がって開く構成である。そして、上部カバー１３の前方側では、把持部２４が凹側部２３及び凹部２２ａに対して左右に突出した形状を視覚的に目立たせ、解除レバー２５が把持部の下面側にある本実施形態の構成であっても、操作する箇所をユーザに対して明確に示すことができる。
【００３４】
また、レシートプリンタ１００は、カバー開閉機構１０を備え、上部カバー１３は、ロール紙収容部１１ａを覆うカバーである。このレシートプリンタ１００は、設置場所を問わず上部カバー１３を開く際の操作性が良好であるため、ロール紙収容部１１ａに対するロール紙の充填を容易かつ確実に行なうことができる。また、レシートプリンタ１００の上方から解除レバー２５の周辺を介して内部に水やゴミが入り込むことも防がれる。
【００３５】
また、上記実施形態では、ロール紙収容部１１ａを覆う上部カバー１３のカバー開閉機構１０がレシートプリンタ１００に設けられた場合を例に説明したが、本発明に係るカバー開閉機構は、この他、ロール紙を所定長にカットするその他の記録装置（例えば、ロール紙プリンタ、ファクシミリ等）に用いても上記と同様の効果を奏するものである。
【図面の簡単な説明】
【００３６】
【図１】本発明の一実施形態に係るカバー開閉機構を備えたレシートプリンタの斜視図である。
【図２】図１に示したレシートプリンタの一部分を透視した斜視図である。
【図３】図１に示したレシートプリンタの側面図である。
【図４】図３の一部分を透視した側面図である。
【図５】図１に示したレシートプリンタの解除レバーを操作したときの側面図である。
【図６】図５の一部分を透視した側面図である。
【符号の説明】
【００３７】
１０…カバー開閉機構、１１…装置本体（記録装置本体）、１３…上部カバー、２１…係止部、２２…側面、２２ａ…凹部、２３…凹側部、２４…把持部、２５…解除レバー（解除操作部）、２６…可動フレーム、２７…カバーフレーム、３１…凹部、３０…当接ピン、３２…係止ピン、３３…係止爪、１００…レシートプリンタ（記録装置）。
【図１】
2008229983.tif 000003
【図２】
2008229983.tif 000004
【図３】
2008229983.tif 000005
【図４】
2008229983.tif 000006
【図５】
2008229983.tif 000007
【図６】
2008229983.tif 000008